(57)【特許請求の範囲】
【請求項１】
積算表示部における上台板の上部に文字板を配置し、該文字板の上部に透明なキャップを配置し、前記文字板の上面とキャップの下面の間の隙間を０．１ｍｍ〜０．３ｍｍの範囲に設定し、かつ、前記上台板に指示板嵌合穴を形成して該指示板嵌合穴に指示板を回転可能に嵌合したことを特徴とする乾式水道メータ。
【請求項２】
積算表示部における上台板の上部に文字板を配置し、該文字板の上部に透明なキャップを配置し、前記文字板の上面とキャップの下面の間の隙間を０．１ｍｍ〜０．３ｍｍの範囲に設定し、かつ、前記上台板に指示板嵌合穴を形成して該指示板嵌合穴に指示板を回転可能に嵌合し、更に、前記キャップを積算表示部の側部をも被覆する形状として、その側壁の板厚を上壁の板厚より薄く設定したことを特徴とする乾式水道メータ。
【請求項３】
前記指示板嵌合穴の内周面を下方に向って拡開するテーパ面に形成し、前記指示板を、その側周面が前記テーパ面に沿った傘状に形成したことを特徴とする請求項１又は２記載の乾式水道メータ。
【発明の詳細な説明】
【０００１】
【発明の属する技術分野】
本発明は、乾式水道メータに関する。
【０００２】
【従来の技術と問題点】
従来、乾式水道メータにおいて、図６に示すように、下台板１００と上台板１０１間に歯車列を収納し、上台板１０１と窓ガラス１０２間に指針収納空間１０３を形成して該指針収納空間１０３内に指針１０４を収納したものがある。
【０００３】
【発明が解決しようとする課題】
前記従来構造のように、窓ガラス１０２の下面と上台板１０１の上面間に指針１０４を収納するものにおいては、必然的に指針収納空間１０３の高さ、すなわち窓ガラス１０２の下面と上台板１０１の上面間の空隙寸法Ｈ1 が大きくなる。
【０００４】
そのため、窓ガラス１０２の下面に結露すると、これがレンズ状の大きな水玉に成長し、指示部の積算値が水玉により乱反射して読みとれなくなる問題がある。更に、指示目盛が前記の上台板１０１の表面に表示されているため、この指示目盛が窓ガラス１０２よりかなり離れた奥部に位置し、前記のような結露や水玉が生じた場合には、そのレンズ効果で一層積算値の視認性が悪くなる問題がある。
【０００５】
そこで本発明は、結露によって積算値の視認が悪化することを抑制して、積算値を読みやすくする乾式水道メータを提供することを目的とする。
【０００６】
【課題を解決するための手段】
前記の課題を解決するために、請求項１記載の第１の発明は、積算表示部における上台板の上部に文字板を配置し、該文字板の上部に透明なキャップを配置し、前記文字板の上面とキャップの下面の間の隙間を０．１ｍｍ〜０．３ｍｍの範囲に設定し、かつ、前記上台板に指示板嵌合穴を形成して該指示板嵌合穴に指示板を回転可能に嵌合したことを特徴とするものである。
【０００９】
本発明においては、キャップの下面に結露した場合、このキャップの下面と文字板の上面間が僅少であるため結露は大きなレンズ状の水玉に成長することなく水膜に成長し、指示部の視認性の悪化を抑制する。
【００１０】
また、このように、キャップと文字板間の隙間が僅少であるため、該隙間に指示板が配置できないが、指示板を上台板に形成した指示板嵌合穴に嵌合して、指示板の上面と上台板の上面とを略同一面にすることができるため、指示板がキャップから奥まった位置に配置されて視認性が悪化することを抑制できる。
【００１１】
請求項２記載の第２の発明は、積算表示部における上台板の上部に文字板を配置し、該文字板の上部に透明なキャップを配置し、前記文字板の上面とキャップの下面の間の隙間を０．１ｍｍ〜０．３ｍｍの範囲に設定し、かつ、前記上台板に指示板嵌合穴を形成して該指示板嵌合穴に指示板を回転可能に嵌合し、更に、前記キャップを積算表示部の側部をも被覆する形状として、その側壁の板厚を上壁の板厚より薄く設定したことを特徴とするものである。
【００１２】
本発明においては、キャップの側壁で結露を促し、更に、これによってもキャップの上壁で結露した場合には、その上壁の下面と文字板間で結露を大きなレンズ状の水玉に成長させることなく水膜に成長させる。そのため、結露による指示板の視認性の悪化を一層抑制することができる。
【００１３】
請求項３記載の第３の発明は、前記第１又は第２の発明において、前記指示板嵌合穴の内周面を下方に向って拡開するテーパ面に形成し、前記指示板を、その側周面が前記テーパ面に沿った傘状に形成したことを特徴とするものである。
【００１４】
本発明においては、指示板嵌合穴の内周面と指示板の側周面を近接することにより、これらの隙間がテーパ状となり、ほぼ真上から積算表示部内が見えることを防止する。
【００１５】
【発明の実施の形態】
図１乃至図５に示す実施例に基いて本発明の実施の形態について説明する。
図１において、下ケース１には水道水の流入路２と流出路３が形成され、流入路２から流入した水道水は羽根車４を回転して流出路３から流出するようになっている。
【００１６】
下ケース１内には、その上部に位置して受圧板５が収納され、該受圧板５の上部には、底板６と側壁７とを一体成形し、上方が開口した樹脂製の下台板８が載置されている。該下台板８の側壁７における内側上部には段部９が全周にわたって形成され、該段部９に上台板１０が載置されている。この下台板８と上台板１０からなる室内に図５に示すような歯車列１１が収納されて、これらで積算表示部Ａを構成している。
【００１７】
前記上台板１０の上面には文字板１２が載置され、更に、該文字板１２の上部と前記下台板８の側壁７の外周部は、透明な樹脂材からなるキャップ１３で被覆されている。そして、該キャップ１３に形成したフランジ部１４を前記下台板８のフランジ部１５に重合し、これらを止環１６により下ケース１側へ押さえ、下台板８とキャップ１３を受圧板５上に固設している。
【００１８】
前記キャップ１３は、前記積算表示部Ａの上部を被覆する上壁１３ａと積算表示部Ａの側部を被覆する側壁１３ｃを有し、これらが透明な樹脂材で一体成形されている。なお、図の実施例では上壁１３ａをレンズ状に形成したので、以下、このキャップ１３をレンズキャップ１３といい、上壁１３ａをレンズ部１３ａという。
【００１９】
前記レンズキャップ１３の外側は、ピン１７により開閉する開閉蓋１８で被覆されている。
そして、前記の羽根車４が回転すると、マグネット１９，２０を介して図５に示す歯車列１１が伝動回転し、パイロット２１、第１指示板２２、第２指示板２３が回転し、積算値を表示するようになっている。
【００２０】
前記上台板１０、文字板１２、レンズキャップ１３、指示板２２，２３及びこれらの関係について図２により詳述する。
上台板１０における前記指示板２２，２３が位置する部分には指示板嵌合穴２４が貫通形成され、その穴周面は下方が拡開するテーパ面２５に形成されている。前記指示板２２，２３は、その外周面を下方へ拡開するテーパ面２６に形成して傘状に形成されている。そして、該指示板２２，２３を指示板嵌合穴２４へ嵌入し、その指示板２２，２３の上面２７と前記上台板１０の上面２８とが略同一面となるようにしてある。また、前記両テーパ面２５と２６との隙間は、指示板２２，２３の回転に支障とならない範囲で狭くしてある。なお、指示板２２，２３の上面には薄板からなる指針２２ａ，２３ａが図２及び図４に示すように貼着されている。
【００２１】
前記文字板１２の上面１２ａとレンズキャップ１３におけるレンズ部１３ａの下面１３ｂ間の隙間ｄ1 は、０．１ｍｍ〜０．３ｍｍの範囲に設定するが、望ましくは０．２ｍｍに設定すると良い。この隙間ｄ1 は、レンズ部１３ａの周縁下面に前記隙間ｄ1 と同寸法の突部１３ｄを形成して、該突部１３ｄの下面を文字板１２上に載置することにより形成されるようになっている。
【００２２】
前記文字板１２は透明な樹脂板で形成され、これに図４に示すように、前記指示板２２，２３の指針２２ａ，２３ａに対応する数字２９，３０と、数字車３１（図１、図４参照）に対応する枠３２が記載されている。したがって、前記指示板２２，２３の指針２２ａ，２３ａと数字車３１の数字は文字板１２及びレンズキャップ１３を透かして見ることができる。
【００２３】
前記レンズキャップ１３における側壁１３ｃの板厚Ｄ1 は、レンズ部１３ａの板厚Ｄ2 よりも薄く形成されている。また、この側壁１３ｃは図３に示すように、その内面に縦溝１３ｅを多数本並列形成して薄くしているとともに、該縦溝１３ｅによって側壁１３ｃと前記下台板８の側壁７との間に隙間ｄ2 が形成されている。
【００２４】
以上のようであるから、外気温が低くなると、レンズキャップ１３の側壁１３ｃの厚みＤ1 がレンズ部１３ａの厚みＤ2 よりも薄いことから、側壁１３ｃの内面がレンズ部１３ａの下面（内面）よりも早く低温になる。そのため、積算表示部内に有する水分は、レンズ部１３ａの下面よりも早く側壁１３ｃの内面に結露し、レンズ部１３ａの内面での結露量を抑制する。したがって、レンズ部１３ａの結露により指示部が読みずらくなることを防止する。
【００２５】
また、前記側壁１３ｃを縦溝１３ｅにより薄くしたので、該縦溝１３ｅ以外の部分、すなわち、凸部１３ｆによって薄い側壁１３ｃが補強される。
また、積算表示部内の水分が多い場合などにおいて、レンズ部１３ａの下面での結露量が多くなった場合には、レンズ部１３ａの下面と文字板１２の上面との隙間ｄ1 が前記の値のように僅少に設定されているため、レンズ部１３ａの下面の結露はこの隙間ｄ1 で水膜に成長し、大きなレンズ状の水玉に成長しない。したがって、前記従来のようなレンズ状の水玉に成長するものに比べて指示部の読み取りにくさが軽減される。
【００２６】
更に、上台板１０に指示板嵌合穴２４を形成して該穴２４に指示板２２，２３を収納し、その指示板２２，２３の上面、すなわち指針２２ａ，２３ａの面を上台板１０の上面、すなわち、文字板１２の下面と略同一面に近づけたので、指示板２２，２３の視認性が悪化しない。すなわち、前記のように、上台板１０と文字板１２間の隙間ｄ1 を僅少にしたことにより上台板１０と文字板１２間に指示板２２，２３が配置できない。そのため、指示板２２，２３を単に上台板１０の下部に配置すると、指示板２２，２３がレンズ部１３ａ及び文字板１２から奥まった位置となり、指示部の目盛が読みずらくなる問題が生じるが、前記のように指示板２２，２３を指示板嵌合穴２４内に配置することにより指示板２２，２３を文字板１２の下面に近づけることでき、積算値が読み易くなる。
【００２７】
更に、指示板嵌合穴２４の内周面と指示置板２２，２３の側周面をテーパ面に形成して近接させたので、これらの隙間がテーパ状となり、かつ狭くなり、ほぼ真上から積算表示部Ａの内部が見えることを防止できる。
【００２８】
【発明の効果】
以上のようであるから、本発明によれば、結露による指示板の視認性の悪化を抑制し、積算値を実用上問題なく読み取れるようにすることができる。
【００２９】
更に、文字板とキャップとの隙間を僅少にして結露による視認性の悪化を抑制した場合、指示板が前記の隙間に配置できない構造になるが、上台板に指示板嵌合穴を形成してこれに指示板を嵌合したことにより、指示板を読み取りやすく配置できる。
【００３０】
更に請求項２記載の発明によれば、結露による指示板の視認性の悪化を一層抑制できる。
そして、請求項３記載の発明によれば、更に、前記のように指示板嵌合穴を形成しても、外部から積算表示部内が見えることを防止できる。
【図面の簡単な説明】
【図１】本発明の実施例を示す一部切断した側面図。
【図２】図１の要部の拡大側断面図。
【図３】図２におけるＸ−Ｘ線断面図。
【図４】図１における積算表示部の斜視図。
【図５】図１における歯車列と上台板、指示板、文字板を示す展開断面図。
【図６】従来の乾式水道メータを示す側断面図。
【符号の説明】
Ａ            積算表示部
８            下台板
１０          上台板
１２          文字板
１３          キャップ
１３ａ        上壁（レンズ部）
１３ｃ        側壁
２２，２３    指示板
２４          指示板嵌合穴
２５          指示板嵌合穴の内周面
２６          指示板の側周面
ｄ1           隙間
【図１】
0004377470.tif 000002
【図２】
0004377470.tif 000003
【図３】
0004377470.tif 000004
【図４】
0004377470.tif 000005
【図５】
0004377470.tif 000006
【図６】
0004377470.tif 000007